(57)【特許請求の範囲】
【請求項１】
格子及び感光材料に対するデジタル立体撮像用感光装置であって、
プラットホーム移動機構を介して基台に結合された感光プラットホームと、
自身の上に格子が配置されている圧着機構であって、上記感光プラットホーム上に据え付けられた圧着機構と、
上記感光プラットホームの上方に吊り下げられているＬＣＤ表示部と、
上記ＬＣＤ表示部の下方にて、レンズ移動機構を介して上記感光プラットホームの上方に吊り下げられているレンズと、を備え、
上記圧着機構は、上記格子及び上記感光材料を、上記感光プラットホームに圧着し、
上記格子は、上記ＬＣＤ表示部が表示し、上記レンズが上記感光材料上に投影させる画像を通す、
ことを特徴とするデジタル立体撮像用感光装置。
【請求項２】
請求項１に記載の格子及び感光材料に対するデジタル立体撮像用感光装置を用いたデジタル立体投影のための方法であって、
上記感光プラットホームと上記圧着機構との間に格子を固定的に配置させ、上記感光プラットホームと上記格子との間に上記感光材料を配置させ、上記格子及び上記感光材料を上記圧着機構を介して上記感光プラットホーム上に圧着させる工程（Ｓ１）と、
カメラにより撮像されたある視野の画像をＬＣＤ表示部により表示させ、レンズを用いて上記格子を通して上記感光材料上に投影させることにより第一の投影処理及び増感処理を行う工程（Ｓ２）と、
上記第一の投影処理及び増感処理の後、異なる視野の他の画像に切り替え、上記レンズをある距離だけ移動させ、上記感光プラットホーム上の増感処理を必要とする領域が上記レンズにより投影された光により再び覆われるまで上記感光プラットホーム及び上記レンズを同じ方向にある距離だけ移動させ、そして、レンズを用いて上記格子を通して上記感光材料上に投影させることにより第二の投影処理及び増感処理を行う工程（Ｓ３）と、
全ての異なる視野の画像において投影処理及び増感処理が終了するまで上記工程Ｓ３を繰り返す工程であって、投影処理及び増感処理の回数が、立体カメラにより撮像された異なる視野の立体写真の数により決定される工程（Ｓ４）と、
上記格子と上記感光材料とを分離するために上記圧着機構を解放する工程（Ｓ５）と、
上記感光材料を現像する工程（Ｓ６）と、
フィルムを加えることにより、上記工程Ｓ６において現像された上記感光材料と上記格子とを結合させる工程（Ｓ７）と、
を含んでいることを特徴とする方法。
【発明の詳細な説明】
【技術分野】
【０００１】
本発明は、格子及び感光材料に対するデジタル立体撮像用感光装置及びその方法に関する。
【背景技術】
【０００２】
市場において、立体写真を製造するためにハロゲン化銀媒体材料を用いる現状の方法は、未だに昔の慣例的な方法である。該方法は、投影処理及び増感処理する前に格子と感光材料とを結合し、その後、立体写真を得るために現像する。しかしながら、該方法には２つの欠点がある。１つ目の欠点は、感光材料が、投影処理、増感処理、及び現像処理の前に格子と結合されなければならない点である。格子は厚過ぎて現像処理のために折り曲げられないので、１０メートルを越える巨大な平面状現像装置が、その大きさに対応する現像を行うために製造されるが、これは、現像処理にとっての多大なる不都合をもたらす。上方に向けて噴射及び流洗を行うための大量の流洗薬液を消費し、薬液及び時間を消費し、広大な場所を占め、環境を汚染し、複雑な操作、低成功率、及び悪影響の原因となる。更に、予め結合された格子及び感光材料は、その間に両面フィルム層を有するので、投影処理及び増感処理の透明度が弱められ、立体写真の制限及び透過効果に影響が及ぼされる。２つ目は、キャリアが、格子と感光材料とにより結合された結合感光材料である点である。これは、輸入に頼っており、非常に高価なものである。それ故、立体写真市場は、大衆化させ普及させるにはコストが高い。
【発明の概要】
【発明が解決しようとする課題】
【０００３】
本発明により解決される技術的な問題点は、先行技術における上記欠点を克服し、格子及び感光材料に対するデジタル立体撮像用感光装置、及びその方法を提供することにある。
【課題を解決するための手段】
【０００４】
この技術的な問題点を解決するために、本発明は、以下の装置を提供する。
【０００５】
以下を備えていることを特徴とする、格子及び感光材料に対するデジタル立体撮像用感光装置である。
【０００６】
プラットホーム移動機構を介して基台に結合された感光プラットホーム
自身の上に格子が配置されている圧着機構であって、上記感光プラットホーム上に据え付けられた圧着機構
上記感光プラットホームの上方に吊り下げられているＬＣＤ表示部
上記ＬＣＤ表示部の下方にて、レンズ移動機構を介して上記感光プラットホームの上方に吊り下げられているレンズ
本発明は、以下の工程を含んでいることを特徴とする、格子及び感光材料に対する上記デジタル立体撮像用感光装置を用いたデジタル立体撮像のための方法を更に含んでいる。
【０００７】
上記感光プラットホームと上記圧着機構との間に格子を固定的に配置させ、上記感光プラットホームと上記格子との間に上記感光材料を配置させ、上記格子及び上記感光材料を上記圧着機構を介して上記感光プラットホーム上に圧着させる工程（Ｓ１）
カメラにより撮像されたある視野の画像をＬＣＤ表示部により表示させ、レンズを用いて上記格子を通して上記感光材料上に投影させることにより第一の投影処理及び増感処理を行う工程（Ｓ２）
上記第一の投影処理及び増感処理の後、異なる視野の他の画像に切り替え、上記レンズをある距離だけ移動させ、上記感光プラットホーム上の増感処理を必要とする領域が上記レンズにより投影された光により再び覆われるまで上記感光プラットホーム及び上記感光レンズを同じ方向にある距離だけ移動させ、そして第二の投影処理及び増感処理を行う工程（Ｓ３）
全ての異なる視野の画像において投影処理及び増感処理が終了するまで、上記工程Ｓ３を繰り返す工程であって、投影処理及び増感処理の回数が、立体カメラにより撮像された異なる視野の立体写真の数により決定される工程（Ｓ４）
上記格子と上記感光材料とを分離するために上記圧着機構を解放する工程（Ｓ５）
上記感光材料を現像する工程（Ｓ６）
フィルムを加えることにより、上記工程Ｓ６において現像された上記感光材料と上記格子とを結合させる工程（Ｓ７）
【発明の効果】
【０００８】
本発明の有益な効果は、次の通りである。格子及び感光材料に対するデジタル立体撮像用感光装置は、一般の現像装置を現像に用いることができるように、投影処理及び増感処理の後に感光材料と格子とを分離させることができる。加えて、感光材料は一般的なハロゲン化銀であってもよい。これは、安いので販売促進され易い。更に、投影処理及び増感処理の際に、従来の方法に係る、感光材料の両面フィルム層が不要であり、本発明に係る立体写真の色の収縮は、投影処理前に格子と感光材料とを結合させる先行技術のそれよりも良い。
【図面の簡単な説明】
【０００９】
【図１】本発明の好適な実施形態に係る格子及び感光材料に対するデジタル立体撮像用感光装置の斜視図である。
【図２】本発明の好適な実施形態に係るデジタル立体撮像の方法のフローチャートである。
【発明を実施するための形態】
【００１０】
本発明の好適な実施形態は、図面と共に記述されている。
【００１１】
図１は、本発明に係る、格子及び感光材料に対するデジタル立体撮像用感光装置の側面図である。光源装置１は、ＬＣＤ表示部２及び増感処理用レンズ４を通して格子５及び感光材料６に投影する。立体カメラにより撮像される画像は、少なくとも２枚であるので、１枚の画像の投影処理及び増感処理が終わった後、感光プラットホーム８及びレンズ４が、次の投影処理及び増感処理のために、ある比率で同じ方向に移動する。レンズ４の移動距離は、撮像時の立体カメラの異なる視野に対応する感光角度に一致する。つまり、視野が大きく変化すればするほど、距離も長くなる。感光プラットホーム８は、プラットホーム移動機構を介して、取り付け表面に移動可能に据え付けられている。プラットホーム移動機構は、移動式コネクタ１１を介してガイドスクリュー１０に結合された電気モータ９を備えている。ガイドスクリュー１０に対応するスライディングブロックは、感光プラットホーム８の底に備えられており、感光プラットホーム８は、電気モータ９により駆動されるガイドスクリュー１０により移動される。感光プラットホーム８は、移動後にレンズ４により投影された光が投影処理を必要とする領域を確実に再び覆うように移動する。ＬＣＤ表示部２は、レンズ４が次の画像をＬＣＤ表示部２に表示させるように、レンズ４及び感光プラットホーム８が毎回移動した後、画像を切り替えるためにコンピュータにより制御される。レンズ４は、ギア変速機又はガイドスクリュー変速機であり得るレンズ移動機構３を介して移動される。感光プラットホーム８に据え付けられた圧着機構７は、投影処理の効果を確実にするために、投影処理を必要とする領域を感光プラットホーム８に固く付着させるためのレベルに格子５及び感光材料６を維持するように、格子５及び感光材料６を感光プラットホーム８に固定する。移動後に２番目の画像の増感処理が行われる。増感処理の各回において、感光プラットホーム８及びレンズ４は、ある比率で同じ方向に移動する。立体写真は、この移動の数だけ存在する。それ故、異なる視野の投影写真は感光材料６に形成され、立体写真は、増感処理の後に上記感光材料６を現像し、乾燥し、そして上記感光材料６にフィルムを加えることにより得られる。
【００１２】
図２には、デジタル立体撮像の方法が示されており、以下の工程を含んでいる。
【００１３】
感光プラットホームと圧着機構との間に格子を配置し、感光材料を上記格子と上記感光プラットホームとの間に配置し、上記格子及び上記感光材料を上記感光プラットホーム上に固く圧着させる工程
上記感光材料に投影処理及び増感処理を行う工程
圧着機構を解放することにより上記格子と上記感光材料とを分離させ、増感処理後に上記感光材料を現像する工程
現像された写真を乾燥させ、乾燥した写真と上記格子とを結合させることにより立体写真を形成し、そしてフィルムを加える工程
上記感光材料に投影処理及び増感処理を行う工程としては、以下の工程を含んでいる。
【００１４】
上記感光プラットホームと上記圧着機構との間に上記格子を固定させ、上記格子と上記感光プラットホームとの間に上記感光材料を配置させ、上記格子及び上記感光材料を上記感光プラットホームに固く圧着させる工程（Ｓ１）
カメラにより撮像されたある視野の画像を表示させ、レンズを用いて上記格子を通して上記感光材料上に投影させることにより第一の投影処理及び増感処理を行う工程（Ｓ２）
上記第一の投影処理及び増感処理の後、コンピュータにより異なる視野の他の像に切り替え、上記レンズをある距離だけ移動させ、上記感光プラットホーム上の増感処理を必要とする領域が上記レンズにより投影された光により再び覆われるまで上記感光プラットホーム及び上記感光レンズを同じ方向にある距離だけ移動させ、そして第二の投影処理及び増感処理を行う工程（Ｓ３）
全ての異なる視野の画像において投影処理及び増感処理が終了するまで、上記工程Ｓ３を繰り返す工程であって、投影処理及び増感処理の回数が、立体カメラにより撮像された異なる視野の立体写真の数により決定される工程（Ｓ４）
上記格子と上記感光材料とを分離するために圧着機構を解放する工程（Ｓ５）
上記感光材料を現像する工程（Ｓ６）
フィルムを加えることにより、上記工程Ｓ６において現像された上記感光材料と上記格子とを結合させる工程（Ｓ７）
当業者は、上記の記述及び図面に示されている本発明の実施形態は、単に例示的なものであって、限定的であることを意図するものではないことを理解するであろう。
【００１５】
本発明の目的は、完全に、そして有効に成し遂げられたことが分かるであろう。本実施形態は、本発明の機能的及び構造的な原理を図解する目的のために示され記述されており、そのような原理から出発せずに変更されることがある。それ故、以下に示す請求項の精神及び範疇を逸脱していない全ての修正を含んでいる。
【図１】
0005624991.tif 000002
【図２】
0005624991.tif 000003